(57)【要約】記録媒体に保存された画像をリモコンの表示画面上に表示したまま、選択された画像をテレビジョン放送受信装置の画面上に一枚表示することや、スライドショーを行うことや、サムネイルを縦軸に時間帯、横軸に撮影地域とする画像表示エリアに表示するとなどが可能な画像表示装置及び画像表示方法が提供される。
2005027509.tif 000002
【特許請求の範囲】
【請求項１】
記録媒体からの画像を表示するテレビジョン放送受信装置と、前記テレビジョン放送受信装置を制御するリモートコントローラで構成される画像表示装置であって、
前記テレビジョン放送受信装置は、
前記記録媒体を挿入する媒体挿入手段と、
前記媒体挿入手段への記録媒体の挿入を検出した場合に、前記記録媒体からの画像情報に基づいて表示画像リストを作成する媒体制御手段と、
前記表示画像リストを記憶する第１の表示画像リスト記憶手段と、
画像を表示する第１の表示手段と、
前記リモートコントローラへの前記表示画像リストの送信を行い、かつ前記リモートコントローラから制御情報を受信した場合に、前記制御情報及び前記第１の表示画像リスト記憶手段に記憶した表示画像リストに基づいて、前記記録媒体からの画像を前記第１の表示手段に出力する第１の制御手段と
を備え、
前記リモートコントローラは、
前記表示画像リストを記憶する第２の表示画像リスト記憶手段と、
画像を表示する第２の表示手段と、
前記テレビジョン放送受信装置から表示画像リストを受信した場合に、前記表示画像リストを前記第２の表示画像リスト記憶手段に記憶させ、かつ、ユーザからの制御情報を受信した場合に、前記制御情報を前記テレビジョン放送受信装置へ送信するとともに、前記制御情報及び前記第２の表示画像リスト記憶手段に記憶した表示画像リストに基づいて、前記記録媒体からの画像を前記第２の表示手段に出力する第２の制御手段と
を備える画像表示装置。
【請求項２】
前記第２の制御手段は、前記テレビジョン放送受信装置から表示画像リストを受信した場合に、前記表示画像リストに基づいて、前記記録媒体からの画像のサムネイルを前記第２の表示手段に出力する請求項１記載の画像表示装置。
【請求項３】
前記第２の表示手段は、前記記録媒体からの画像のサムネイルを縦軸または横軸の一方の軸を時間帯、他方の軸を撮影地域とする２次元で表示する請求項２記載の画像表示装置。
【請求項４】
記録媒体からの画像を表示するテレビジョン放送受信装置と、前記テレビジョン放送受信装置を制御するリモートコントローラで構成される画像表示装置であって、
前記テレビジョン放送受信装置は、
前記記録媒体を挿入するステップと、
前記記録媒体の挿入を検出した場合に、前記記録媒体からの画像情報に基づいて表示画像リストを作成するステップと、
前記表示画像リストを記憶するステップと、
前記リモートコントローラへの前記表示画像リストの送信を行うステップと、
前記リモートコントローラから制御情報を受信した場合に、前記制御情報及び前記記憶した表示画像リストに基づいて、前記記録媒体からの画像を表示するステップと
を備え、
前記リモートコントローラは、
前記テレビジョン放送受信装置から表示画像リストを受信した場合に、前記表示画像リストを記憶するステップと、
ユーザからの制御情報を受信した場合に、前記制御情報を前記テレビジョン放送受信装置へ送信するとともに、前記制御情報及び前記記憶した表示画像リストに基づいて、前記記録媒体からの画像を表示するステップと
を備える画像表示方法。
【請求項５】
前記リモートコントローラにおいて、前記記録媒体からの画像を表示するステップは、前記記録媒体からの画像のサムネイルを表示する請求項４記載の画像表示方法。
【請求項６】
前記リモートコントローラにおいて、前記記録媒体からの画像を表示するステップは、前記記録媒体からの画像のサムネイルを縦軸または横軸の一方の軸を時間帯、他方の軸を撮影地域とする２次元で表示する請求項４記載の画像表示方法。
【発明の詳細な説明】
【技術分野】  本発明は、画像表示装置及びその方法に関し、更に詳しくは、記録媒体からの画像をテレビジョン放送受信装置に表示すると共に、画像のサムネイルをリモートコントローラの表示画面に表示することが可能な画像表示装置及びその方法に関する。
【背景技術】  従来のテレビジョン放送受信装置として、記録媒体を接続することによって、記録媒体に記録された画像のサムネイルを、画像ビューアアプリケーションを用いて画面上に一覧表示するテレビジョン放送受信装置が公知である。このようなテレビジョン放送受信装置は、例えば、特開２００２−１３５６７６号公報に開示されている。このようなテレビジョン放送受信装置では、ユーザは、リモートコントローラ（以下、リモコンと称す）等の入力装置を介してサムネイル表示画面から所望のサムネイルを選択することにより、サムネイルで指定された画像を一枚表示画面で表示することができる。
また、画像のサムネイルと選択されたサムネイルの拡大画像を表示画面上に同時表示する技術も公知である。このような技術は、例えば、特開平１０−２４３２７３号公報に開示されている。
【発明の開示】
画像表示装置は
記録媒体からの画像を表示するテレビジョン放送受信装置と、テレビジョン放送受信装置を制御するリモートコントローラで構成される画像表示装置であって、
テレビジョン放送受信装置は、
記録媒体を挿入する媒体挿入手段と、
媒体挿入手段への記録媒体の挿入を検出した場合に、記録媒体からの画像情報に基づいて表示画像リストを作成する媒体制御手段と、
表示画像リストを記憶する第１の表示画像リスト記憶手段と、
画像を表示する第１の表示手段と、
リモートコントローラへの表示画像リストの送信を行い、かつリモートコントローラから制御情報を受信した場合に、制御情報及び第１の表示画像リスト記憶手段に記憶した表示画像リストに基づいて、記録媒体からの画像を第１の表示手段に出力する第１の制御手段と
を備え、
リモートコントローラは、
表示画像リストを記憶する第２の表示画像リスト記憶手段と、
画像を表示する第２の表示手段と、
テレビジョン放送受信装置から表示画像リストを受信した場合に、表示画像リストを第２の表示画像リスト記憶手段に記憶させ、かつ、ユーザからの制御情報を受信した場合に、制御情報をテレビジョン放送受信装置へ送信するとともに、制御情報及び第２の表示画像リスト記憶手段に記憶した表示画像リストに基づいて、記録媒体からの画像を第２の表示手段に出力する第２の制御手段と
を備える。
画像表示方法は
記録媒体からの画像を表示するテレビジョン放送受信装置と、テレビジョン放送受信装置を制御するリモートコントローラで構成される画像表示装置であって、
テレビジョン放送受信装置は、
記録媒体を挿入するステップと、
記録媒体の挿入を検出した場合に、記録媒体からの画像情報に基づいて表示画像リストを作成するステップと、
表示画像リストを記憶するステップと、
リモートコントローラへの表示画像リストの送信を行うステップと、
リモートコントローラから制御情報を受信した場合に、制御情報及び前記記憶した表示画像リストに基づいて、記録媒体からの画像を表示するステップと
を備え、
リモートコントローラは、
テレビジョン放送受信装置から表示画像リストを受信した場合に、表示画像リストを記憶するステップと、
ユーザからの制御情報を受信した場合に、制御情報をテレビジョン放送受信装置へ送信するとともに、制御情報及び記憶した表示画像リストに基づいて、記録媒体からの画像を表示するステップと
を備える。
【図面の簡単な説明】  図１は本発明の実施の形態１に係るテレビジョン放送受信装置の構成を示すブロック図である。
図２は本発明の実施の形態１に係るリモコンの構成を示すブロック図である。
図３は記録媒体に記録された画像データのデータ構造を示す図である。
図４は記録媒体に記録された画像データの表示方法を示す図である。
図５は表示画像リストの構成を示す図である。
図６は本発明の実施の形態１に係るテレビジョン放送受信装置での記録媒体挿入時の処理を示すフローチャートである。
図７は本発明の実施の形態１に係るリモコンでの記録媒体挿入時の処理を示すフローチャートである。
図８は本発明の実施の形態１に係るテレビジョン放送受信装置での記録媒体挿入後の処理を示すフローチャートである。
図９は本発明の実施の形態１に係るリモコンでの記録媒体挿入後の処理を示すフローチャートである。
図１０は本発明の実施の形態１に係るリモコンの具体例を示す図である。
図１１は本発明の実施の形態２に係るテレビジョン放送受信装置の構成を示すブロック図である。
図１２は地図情報の構成を示す図である。
図１３は本発明の実施の形態２に係るサムネイル表示を示す図である。
図１４は本発明の実施の形態２に係るサムネイル表示処理を示すフローチャートである。
図面の参照符号の一覧表
１００  テレビジョン放送受信装置
１０１  チューナ
１０２  分離部
１０３、２０２  制御部
１０４、２０３  デコード部
１０５  映像処理部
２０４  表示制御部
１０６、２０５  ＯＳＤ制御部
１０７、２０６  合成部
１０８、２０７、１００１  表示部
１０９、２０１  リモコン信号送受信部
１１０  媒体挿入部
１１１  媒体制御部
１１２、２０９  表示画像リスト記憶部
１１３、２１０  無線制御部
１１０１  地図情報記憶部
２００、１０００  リモコン
２０７  入力部
３００  画像データ
３０１  ヘッダ情報
３０２  主画像付属情報
３０３  サムネイル付属情報
３０４  サムネイル画像データ
３０５  主画像データ
４０１  １枚表示画面
４０２  スライドショー画面
４０３  サムネイル表示画面
４０４  付属情報表示画面
５００  表示画像リスト
５０１  番号
５０２  ファイル名
５０３  選択状態フラグ
５０４  付属情報
５０５  サムネイル画像データへのポインタ
５０６  主画像データへのポインタ
１００２  サムネイル表示枠
１００３  ＴＶ画像表示キー
１００４  リモコン画像表示キー
１００５  十字キー
１００６  決定キー
１２００  地図情報
１３０１  表示領域
１３０２  撮影地列表示エリア
１３０３  時間帯行表示エリア
１３０４  日付表示部
１３０５  前撮影日選択アイコン
１３０６  次撮影日選択アイコン
【発明を実施するための最良の形態】  しかしながら、上記特開２００２−１３５６７６号公報のテレビジョン放送受信装置では、サムネイル表示画面において選択された所望のサムネイルで指定された画像を一枚表示画面で表示する場合にサムネイル表示画面から一枚表示画面へと画面を切り替えて表示する。そのため、ユーザが再度サムネイル表示画面を表示しようとした場合は、一枚表示画面からサムネイル表示画面への切り替え操作が必要となり、手間がかかるという問題がある。
また、上記特開平１０−２４３２７３号公報の技術では、表示画面上に画像のサムネイルと選択されたサムネイルの拡大画像を同時表示するため、サムネイル表示画面から一枚表示画面への切り替え操作は必要とせず操作面での向上は望める。しかし、同時表示しているが故に、拡大画像の大きさを制限する必要があり、拡大画像を視認しにくいという問題が依然残されたままとなっている。
また、上記特開２００２−１３５６７６号公報及び上記特開平１０−２４３２７３号公報のサムネイル表示は、単に画像のサムネイルを時系列に並べて表示しただけのものあり、ユーザは時間的な関係でしかサムネイルを視認することができない。
（実施の形態１）
本発明の実施の形態１に係る画像表示装置は、記録媒体を挿入する挿入口を備えたテレビジョン放送受信装置１００と、記録媒体に記録された画像のサムネイルを表示すると共に、テレビジョン放送受信装置１００を制御するリモコン２００から構成される。
図１は、本発明の実施の形態１に係るテレビジョン放送受信装置１００の構成を示すブロック図である。テレビジョン放送受信装置１００は、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、表示画像リスト記憶部１１２及び無線制御部１１３から構成される。
チューナ１０１は、制御部１０３からの選局命令に基づいてテレビジョン放送信号を受信し、受信したテレビジョン放送信号に高周波処理及び復調処理を行い、トランスポートストリームとして分離部１０２へ出力する。
分離部１０２は、チューナ１０１からのトランスポートストリームを番組情報等の付加情報とＭＰＥＧデータであるデジタル映像信号及びデジタル音声信号とに分離する。そうして、分離部１０２はＭＰＥＧデータをデコード部１０４へ出力し、付加情報を制御部１０３に出力する。
制御部１０３は、リモコン信号送受信部１０９から所望のチャンネルの選局要求を取得した場合は、チューナ１０１への選局要求を行う。それと共に、制御部１０３は、選局されたチャンネルの番組視聴時において、分離部１０２から取得した付加情報のうちの所定操作時に必要な番組情報データをＯＳＤ制御部１０６へ出力する。また、制御部１０３は、リモコン信号送受信部１０９からの各種画像表示要求又は媒体制御部１１１からの各種通知を取得した場合は、記録媒体挿入処理、画像表示切替処理又は記録媒体取出処理を行う。これらの処理については、後ほど図６及び図８を用いて詳述する。
デコード部１０４は、制御部１０３から映像処理要求を取得した場合は、分離部１０２からのＭＰＥＧデータをデコードし映像信号として映像処理部１０５へ出力する。一方、デコード部１０４は、制御部１０３から画像処理要求を取得した場合は、制御部１０３からの画像データをデコードし画像信号として映像処理部１０５へ出力する。
映像処理部１０５は、デコード部１０４からの映像信号又は画像信号に輝度、コントラスト等の調整を行い映像データ又は画像データとして合成部１０７へ出力する。
ＯＳＤ制御部１０６は、制御部１０３からの番組情報データをＯＳＤ表示データとして合成部１０７へ出力する。ＯＳＤ制御部１０６は、制御部１０３からサムネイル表示要求を取得した場合は、サムネイル表示枠を作成すると共に、サムネイル表示枠と指定された位置に対応する識別表示データを含んだＯＳＤ表示データを合成部１０７へ出力する。ここで、識別表示データとは、指定された位置のサムネイル表示枠を強調表示するためのデータである。
合成部１０７は、映像処理部１０５からの映像データ又は画像データとＯＳＤ制御部１０６からのＯＳＤ表示データを合成し、映像信号又は画像信号として表示部１０８へ出力する。
表示部１０８は、制御部１０３から映像処理要求を取得した場合は、合成部１０７からの映像信号を画面表示する。一方、制御部１０３から画像処理要求を取得した場合は、合成部１０７からの画像信号を画面表示する。画面表示方法については、後ほど図４を用いて詳述する。
リモコン信号送受信部１０９は、リモコン２００からのリモコン信号を受信し、リモコン受信信号として制御部１０３へ出力する。また、リモコン信号送受信部１０９は、制御部１０３からの各種要求をリモコン送信信号としてリモコン２００へ送信する。
媒体挿入部１１０は、ＳＤカード等の記録媒体を挿入する挿入口である。記録媒体での画像データの記録方法については、後ほど図３を用いて詳述する。
媒体制御部１１１は、媒体挿入部１１０への記録媒体の挿入／取出を検出し、制御部１０３に対して各種通知を行う。そして、媒体制御部１１１は、制御部１０３からの要求に基づいて、表示画像リストを作成する。表示画像リストについては、後ほど図５を用いて詳述する。
表示画像リスト記憶部１１２は、媒体制御部１１１からの表示画像リストを記憶する。
無線制御部１１３は、ＢＬＵＥＴＯＯＴＨやＩＥＥＥ８０２．１１ｂなどの規格の無線によって表示画像リスト記憶部１１１の表示画像リストをリモートコントローラ２００に送信する。また、無線制御部１１３は、リモートコントローラ２００からのＥｘｉｆ形式画像ファイルの取得要求があった場合にリモートコントローラ２００にＥｘｉｆ形式画像ファイルを送信する。無線制御部１１３は表示画像リストや画像データなど比較的大きなデータの送受信を実施する。
ここで、記録媒体での画像データの記録方法について図３を用いて説明する。記録媒体に記録された画像データ３００はデジタルスチルカメラ用画像ファイルフォーマット規格（Ｅｘｉｆ）に基づいてデジタルスチルカメラで記録されている。ここで、主たるデータとして記録する画像を「主画像」と呼び、「主画像」の見出し用小画像を「サムネイル」と呼ぶ。画像データ３００は、ヘッダ情報３０１と、主画像データ３０５と、主画像付属情報３０２と、サムネイル画像データ３０４と、サムネイル付属情報３０３で構成される。ヘッダ情報３０１には、Ｅｘｉｆ形式かＪｆｉｆ形式かを示すファイル形式やデータ形式と、ビッグエンディアン（ｂｉｇ−ｅｎｄｉａｎ）かリトルエンディアン（ｌｉｔｔｌｅ−ｅｎｄｉａｎ）かを示すバイトオーダーなどが記述されている。主画像付属情報３０２は、画像データ３００に関する付属情報と、撮影条件に関する情報と、ＧＰＳに関する情報から構成される。画像データ３００に関する付属情報は、画像以外の解像度や圧縮の種類や画素構成などの情報である。撮影条件に関する情報は、撮影日時や被写体距離やシャッタースピードなどの情報である。ＧＰＳに関する情報は、経度や緯度や高度などの情報である。
画像表示方法について図４を用いて説明する。画面表示としては、「１枚表示」４０１と、「スライドショー表示」４０２と、「サムネイル表示」４０３と、「付属情報表示」４０４がある。「１枚表示」４０１は、１枚の主画像データ３０５と主画像付属情報３０２を同時に表示する表示形式である。「スライドショー表示」４０２は、主画像データ３０５を表示部１０８全体に連続的に表示する表示形式である。「サムネイル表示」４０３は、ファイル名によるソート後、３×３などのレイアウトでサムネイル画像データ３０４を表示する表示形式である。「付属情報表示」４０４は、主画像データ３０５の主画像付属情報３０２のみをテキストで表示する表示形式である。「サムネイル表示」では、ＯＳＤ制御部１０６で作成されたサムネイル表示枠において選択されたサムネイルを更に枠などで囲み強調表示される。「スライドショー表示」では、表示画像リストの順に一定時間が経過すると選択状態の主画像は次の主画像に移り変わる。
表示画像リストの構成について図５を用いて説明する。表示画像リスト５００は、シリアルに割り振られたソート用の番号５０１と、ファイル名５０２と、画像が選択状態にあるか否かを示す選択状態フラグ５０３と、ＧＰＳの位置情報やＥｘｉｆなど撮影に関する情報を記述した付属情報５０４と、サムネイル画像データ３０４へのポインタ５０５及び主画像データ３０５へのポインタ５０６から構成される。ここで、表示画像リスト５００はテレビジョン放送受信装置１００とリモコン２００で同じ構成である。
次に、図２を用いて、本発明の実施の形態１に係るリモコン２００の構成を説明する。リモコン２００は、リモコン信号送受信部２０１と、制御部２０２と、デコード部２０３と、表示制御部２０４と、ＯＳＤ制御部２０５と、合成部２０６と、表示部２０７と、入力部２０８と、表示画像リスト記憶部２０９及び無線制御部２１０から構成される。
リモコン信号送受信部２０１は、テレビジョン放送受信装置１００からのリモコン信号を受信し、リモコン受信信号として制御部２０２へ出力する。また、リモコン信号送受信部２０１は、制御部２０２からの各種要求をリモコン送信信号としてテレビジョン放送受信装置１００へ送信する。
制御部２０２は、入力部２０８に所望のチャンネル選局指示がなされた場合は、選局要求をリモコン送受信部２０１へ出力する。無線制御部２１０が表示画像リスト５００を無線信号として受信した場合は、制御部２０２は表示画像リスト５００を表示画像リスト記憶部２０９に出力する。また、入力部２０８からの各種要求に基づいて、制御部２０２は記録媒体挿入処理、画像表示切替処理又は記録媒体取出処理を行う。これらの処理については、後ほど図７及び図９を用いて詳述する。
制御部２０２は無線制御部２１０に対して、テレビジョン放送受信装置１００の記録媒体にあるＥｘｉｆ形式の画像データの取得を指示する。その後、制御部２０２は取得したＥｘｉｆ形式の画像データをデコード部２０３に送信する。
デコード部２０３は制御部２０２からＥｘｉｆ形式の画像データをデコードして、表示部２０７で表示可能な映像信号に変換する。表示制御部２０４は、輝度、コントラスト等の調整を行い合成部２０６へ出力する。
ＯＳＤ制御部２０５は、制御部２０２からサムネイル表示要求を取得した場合は、サムネイル表示枠を作成すると共に、強調枠を現在選択中の画像の表示位置に表示されるように合成部２０６へ出力する。
合成部２０６は、表示制御部２０４からの画像データの映像信号とＯＳＤ制御部２０５からのＯＳＤ表示データとを合成して映像信号として表示部２０７へ出力する。
表示部２０７は、合成部２０５からの映像信号を画面出力する。
入力部２０８は、リモコン２００のテンキー操作または所定ボタン操作を介してユーザ入力を受け付ける。
表示画像リスト記憶部２０９は、テレビジョン信号受信装置１００から無線で得られた表示画像リスト５００を記憶する。
無線制御部２１０は制御部２０２の指示に従い、画像表示装置で使用する表示画像リストやＪＰＥＧ画像データなど比較的大きな容量のデータの送受信を実施する。
それでは、上述のテレビジョン放送受信装置１００及びリモコン２００を用いた記録媒体挿入処理について図６及び図７を用いて詳述する。図６は、テレビジョン放送受信装置１００での処理を示すフローチャートであり、図７は、リモコン２００での処理を示すフローチャートである。
テレビジョン放送受信装置１００の制御部１０３は媒体制御部１１１に対し、媒体挿入部１１０への記録媒体の挿抜を定期的に監視する要求を行う（Ｓ６０１）。媒体制御部１１１が記録媒体の挿入を検出した場合は（Ｓ６０２でＹＥＳ）、制御部１０３に対して記録媒体挿入通知を行う。制御部１０３は媒体制御部１１１に対して、記録媒体の中の画像ファイルを読み込み、図３に示すＥｘｉｆ形式のファイル構造の中から必要な情報を抽出し、表示画像リスト５００の作成と保存を行う（Ｓ６０３）ように指示する。そして、制御部１０３は、表示画像リスト５００作成後はリモコン２００に対して表示画像リスト５００を無線にて送信する（Ｓ６０４）。送信が時間内に完了できなかった場合は（Ｓ６０５でＮＯ）再送信を行う。送信が時間内に完了した場合は（Ｓ６０５でＹＥＳ）、制御部１０３は、デコード部１０４及び表示部１０８への画像処理要求（１枚表示要求、スライドショー表示要求又はサムネイル表示要求）を行い、夫々の要求に基づいて表示部１０８への「１枚表示」、「スライドショー表示」、「サムネイル表示」を行う（Ｓ６０６）。記録媒体挿入時の表示方法は予め指定しておく。本実施の形態１では、記録媒体挿入時には、「１枚表示」するとする。
一方、リモコン２００では、リモコン信号送受信部２０１がテレビジョン放送受信装置１００から表示画像リスト５００を受信した場合に（Ｓ７０１でＹＥＳ）、テレビジョン放送受信装置１００の記憶媒体から画像データを取得する。そうして、リモコン信号送受信部２０１は表示部２０６へ「１枚表示」、「スライドショー表示」、「サムネイル表示」、「付属情報表示」のうち、予め指定された表示方法で画像表示を行う（Ｓ７０３）。本実施の形態１では、記録媒体挿入時の表示方法には、予め「サムネイル表示」が指定されているとする。
次に、図８及び図９を用いて、画像表示切替処理と記録媒体取出処理について説明する。図８は、テレビジョン放送受信装置１００での処理を示すフローチャートであり、図９は、リモコン２００での処理を示すフローチャートである。
まず、テレビジョン放送受信装置１００の処理について説明する。テレビジョン放送受信装置１００の制御部１０３は、媒体制御部１１１に対し、媒体挿入部１１０に記録媒体の挿抜を定期的に監視する要求を行う（Ｓ８０１）。媒体制御部１１１は、記録媒体が抜かれたことを検出した場合は（Ｓ８０１でＹＥＳ）、制御部１０３に対して記録媒体取出通知を行う。制御部１０３は媒体制御部１１１に対して、表示画像リスト５００の削除要求を行い、表示画像リスト記憶部１１２から表示画像リスト５００を削除してＪＰＥＧ画像の表示を停止する（Ｓ８０８）。そして、制御部１０３は、表示画像リスト５００削除後はリモコン２００に対して表示画像リスト削除要求を送信すると共に（Ｓ８０９）、デコード部１０４に対し映像処理要求を行い、再び図６の記録媒体挿入処理に移る。
また、制御部１０３は挿抜の監視要求とともにユーザからの要求受信を定期的に監視し、「１枚表示」、「スライドショー表示」、「サムネイル表示」の要求があった場合は（Ｓ８０１でＮＯ、Ｓ８０２からＳ８０７）、夫々の要求に基づいて表示部１０８に画像を表示する。
次に、リモコン２００の処理について説明する。リモコン２００の制御部２０２は、リモコン受信信号として表示停止要求があるか否かを定期的に監視する（Ｓ９０１）。表示停止要求を受信した場合は（Ｓ９０１でＹＥＳ）、表示画像リスト記憶部２０９から表示画像リスト５００を削除してＪＰＥＧ画像の表示を停止し（Ｓ９１０）、再び図７の記録媒体挿入受信処理に移る。
また、制御部２０２は表示停止要求の監視とともにユーザからの要求受信を定期的に監視し、「一枚表示」、「付属情報表示」、「サムネイル表示」、「スライドショー表示」の要求があった場合は（Ｓ９０１でＮＯ、Ｓ９０２からＳ９０９）、夫々の要求に基づいて表示部２０６に画像を表示する。
ここで、具体的なリモコン２００の構成について図１０を用いて説明する。図１０は、本実施の形態１でのリモコン２００の一例である。リモコン１０００の表示部１００１に、前述の図４で説明した「サムネイル表示」４０３、「１枚表示」４０１、「スライドショー表示」４０２、「付属情報表示」４０４が表示される。図１０はサムネイル表示を一例として示す。選択状態にある画像はサムネイル表示枠１００２で囲まれ強調表示される。また、リモコン１０００はＴＶ画像表示キー１００３とリモコン画像表示キー１００４も持ち、ＴＶ画像表示キー１００３を押下するとテレビジョン放送受信装置１００に画面表示要求が送信される。そうして、テレビジョン放送受信装置１００の表示部１０８の画面表示がサムネイル表示、１枚表示、スライドショーの順に変更される。またリモコン画像表示キー１００４が押下された場合はリモコン１０００側の表示部１００１の画面表示がサムネイル表示、１枚表示、付属情報表示、スライドショーのいずれかに変更される。
現在選択状態の画像がテレビジョン放送受信装置１００とリモコン１０００で常に同じになるように選択画像が移ると、すなわちサムネイル表示枠１００２が移動するとリモコン１０００で選択中の画像番号はテレビジョン放送受信装置１００へ送信される。そうして、テレビジョン放送受信装置１００の表示画像リスト記憶部１１２とリモコン２００の表示画像リスト記憶部２０９の選択状態の画像の選択状態フラグ５０３は１にされそれ以外は０に変更される。
サムネイル表示中での選択状態の画像の変更は、十字キー１００５またはテンキー１００７により行う。そして、十字キー１００５の中心の決定キー１００６を押下するとテレビジョン放送受信装置１００にコマンドが送信されて、テレビジョン放送受信装置１００において選択中の画像の１枚表示要求処理が行われる。
テレビジョン放送受信装置１００とリモコン１０００の画面表示方法は、ユーザの指示によって選択可能である。たとえばテレビジョン放送受信装置１００で「スライドショー表示」の時にリモコン１０００側で「付属情報表示」、またはテレビジョン放送受信装置１００で「１枚表示」のときにリモコン１０００側で「サムネイル表示」などの組み合わせが存在する。
また、記録媒体からの画像をリモコン１０００の表示部１００１にて表示中に、ユーザが入力部２０７に所望のチャンネル選局指示を行った場合は、チャンネル選局要求がリモコン送受信部２０１へ出力される。前記の場合、テレビジョン放送受信装置１００は、画像ビューアアプリケーションを終了してチャンネル選局を行う。
なお、本実施の形態１では、記録媒体挿入時にすぐに記録媒体からの画像をテレビジョン放送受信装置１００及びリモコン１０００に画面出力する構成とした。しかし、記録媒体挿入時に記録媒体が挿入されたことを示すアイコンやメッセージをまず表示して、前記アイコンやメッセージをユーザが選択することにより、記録媒体からの画像を画面出力する構成としてもよい。
（実施の形態２）
本発明の実施の形態２の画像表示装置は、記録媒体を挿入する挿入口を備えたテレビジョン放送受信装置１１００と、記録媒体に記録された画像のサムネイルを表示すると共に、テレビジョン放送受信装置１１００を制御するリモコン２００から構成される。実施の形態２では、画像のサムネイルを時間軸・撮影地域の２次元の画像表示エリアに表示すること以外はすべて実施の形態１と同じ形態で実現される。
図１１は、本発明の実施の形態２に係るテレビジョン放送受信装置１１００の構成を示すブロック図である。テレビジョン放送受信装置１１００は、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、表示画像リスト記憶部１１２及び地図情報記憶部１１０１から構成される。ここで、図１１において、図１と同等の符号を付したものは、図１と同等の機能を有するため説明を省略する。
地図情報記憶部１１０１は、予め撮影場所を特定するための地図情報を記憶する。図１２は地図情報の構成を示す。地図情報１２００は、都道府県１２０１、市町村１２０２、地区１２０３等の情報から構成される。
図１３は本発明の実施の形態２におけるサムネイル表示の一例を示す。テレビジョン放送受信装置１１００の表示部１０８またはリモコン２００の表示部２０６の縦軸に撮影地列表示エリア１３０２が、横軸に時間帯行表示エリア１３０３が作られて表示領域１３０１作成される。そうして、撮影地と時間帯の一致する表示領域１３０１にサムネイルが配置される。撮影地列表示エリア１３０２は、表示画像リスト５００の付属情報５０４（ＧＰＳ情報と撮影時刻）から得られた情報を基にして、撮影地列を表示する。時間帯行表示エリア１３０３は、表示画像リスト５００の付属情報５０４（ＧＰＳ情報と撮影時刻）から得られた情報を基にして、時間帯行を表示する。また表示画像リスト５００の付属情報５０４（撮影時刻）から日付リスト（図示せず）が作成され、日付表示部１３０４に撮影日が表示される。左向き三角形の前撮影日選択アイコン１３０５にカーソルを移動して決定キーを押した場合は、前の撮影日のサムネイルが表示され、右向き三角形の次撮影日選択アイコン１３０６にカーソルを移動して決定キーを押した場合は、次の撮影日のサムネイルが表示される。アイコン上で決定キーを押下することで日付が変更される。
なお、本実施の形態２では、縦軸に撮影地列、横軸に時間帯行を表示した２次元表示を行っているが、横軸に撮影地列、縦軸に時間帯行を表示する構成としてもよい。
ここで、図１３に示された２次元のサムネイルを表示する処理について、図１４を用いて説明する。ユーザの操作により日付表示部１３０４の日付が変更された場合は、表示画像リスト５００に日付表示部１３０４の年月日と撮影日の年月日の一致する画像が存在するかが判断され（Ｓ１４０１）、サムネイル表示処理が開始される。そして、表示画像リスト５００の画像の付属情報５０４（ＧＰＳ情報）から「北緯ｏｒ南緯」、「緯度」、「東経ｏｒ西経」、「経度」が抽出され、地図情報記憶部１１０１に保存されている地図情報１２００とのマッチングが行われる（Ｓ１４０２）。その結果、「都道府県」、「市町村」、「地区」が特定され、表示画像リスト５００の付属情報５０４の項目に記述される（Ｓ１４０３）。撮影地域列表示エリア１３０２のタイトルには、表示画像リスト５００に記述された「都道府県」、「市町村」、「地区」の項目のうち、ユーザが選択した、または予め設定された項目を表示する（Ｓ１４０４）。
１時間単位で行が作成されており、表示画像リスト５００の付属情報５０４（撮影日時）に対応する時間帯行の撮影地列にサムネイルが配置される。撮影地列の１列中に配置するサムネイルの列数はユーザによって選択可能である（Ｓ１４０５）。また表示対象の日付のサムネイルの表示が完了した後は、選択状態のサムネイルが強調表示される（Ｓ１４０６）。
なお、撮影した画像が存在しない時間帯を表示しないようにしてサムネイルの無いエリアを極力無くすようにする。
ユーザは、リモコン１０００の十字キー１００５にて画像の選択を行い、決定キー１００６にて１枚表示を行う。
以上の説明から明らかな通り、本発明の画像表示装置及びその方法によれば、記録媒体に保存された画像のサムネイルをリモコンの表示画面上に表示したまま、選択された画像をテレビジョン放送受信装置の画面上に一枚表示したり、スライドショーを行うことが可能となる。そのため、操作性及び視認性が向上できる。またテレビジョン放送受信装置の画面上でスライドショーを実施している時に、リモコン側の画面表示で詳細な画像情報が表示できる。そのために、撮影したときの撮影日時やＧＰＳ情報などの情報の確認が容易になる。
更に、本発明の画像表示装置及びその方法によれば、縦軸／横軸のどちらか一方を時間帯、他方の軸を撮影地域とする画像表示エリアにサムネイルを表示することができる。このことにより、画像の撮影した場所と時刻を容易に認識しやすくなる。
なお、本発明はリモコンについて説明しているが、携帯電話端末等の表示画面を有しかつテレビジョン放送受信装置を制御可能な携帯機器にも応用することができる。
【産業上の利用可能性】  本発明による画像表示装置及びその方法は、記録媒体に保存された画像のサムネイルをリモコンの表示画面上に表示したまま、選択された画像をテレビジョン放送受信装置の画面上に一枚表示することや、スライドショーを行うことが可能となる。そのため、操作性及び視認性が向上できる。またテレビジョン放送受信装置の画面上でスライドショーを実施している時に、リモコン側の画面表示で詳細な画像情報が表示できる。そのために、撮影したときの撮影日時やＧＰＳ情報などの情報の確認が容易になる。ＧＰＳを搭載したデジタルスチルカメラにて撮影した画像をテレビジョン放送受信装置に付属の記録媒体の読込装置を利用して視聴する際の表示方法としての利用方法が考えられる。
【図１】
2005027509.tif 000003
【図２】
2005027509.tif 000004
【図３】
2005027509.tif 000005
【図４】
2005027509.tif 000006
【図５】
2005027509.tif 000007
【図６】
2005027509.tif 000008
【図７】
2005027509.tif 000009
【図８】
2005027509.tif 000010
【図９】
2005027509.tif 000011
【図１０】
2005027509.tif 000012
【図１１】
2005027509.tif 000013
【図１２】
2005027509.tif 000014
【図１３】
2005027509.tif 000015
【図１４】
2005027509.tif 000016
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
記録媒体からの画像を表示するテレビジョン放送受信装置と、前記テレビジョン放送受信装置を制御するリモートコントローラで構成される画像表示装置であって、
前記テレビジョン放送受信装置は、
前記記録媒体を挿入する媒体挿入手段と、
前記媒体挿入手段への記録媒体の挿入を検出した場合に、前記記録媒体からの画像情報に基づいて表示画像リストを作成する媒体制御手段と、
前記表示画像リストを記憶する第１の表示画像リスト記憶手段と、
画像を表示する第１の表示手段と、
前記リモートコントローラへの前記表示画像リストの送信を行い、かつ前記リモートコントローラから制御情報を受信した場合に、前記制御情報及び前記第１の表示画像リスト記憶手段に記憶した表示画像リストに基づいて、前記記録媒体からの画像を前記第１の表示手段に出力する第１の制御手段と
を備え、
前記リモートコントローラは、
前記表示画像リストを記憶する第２の表示画像リスト記憶手段と、
画像を表示する第２の表示手段と、
前記テレビジョン放送受信装置から表示画像リストを受信した場合に、前記表示画像リストを前記第２の表示画像リスト記憶手段に記憶させ、かつ、ユーザからの制御情報を受信した場合に、前記制御情報を前記テレビジョン放送受信装置へ送信するとともに、前記制御情報及び前記第２の表示画像リスト記憶手段に記憶した表示画像リストに基づいて、前記記録媒体からの画像を前記第２の表示手段に出力する第２の制御手段と
を備える画像表示装置。
【請求項２】
前記第２の制御手段は、前記テレビジョン放送受信装置から表示画像リストを受信した場合に、前記表示画像リストに基づいて、前記記録媒体からの画像のサムネイルを前記第２の表示手段に出力する請求項１記載の画像表示装置。
【請求項３】
前記第２の表示手段は、前記記録媒体からの画像のサムネイルを縦軸または横軸の一方の軸を時間帯、他方の軸を撮影地域とする２次元で表示する請求項２記載の画像表示装置。
【請求項４】
記録媒体からの画像を表示するテレビジョン放送受信装置と、前記テレビジョン放送受信装置を制御するリモートコントローラで構成される画像表示装置であって、
前記テレビジョン放送受信装置は、
前記記録媒体を挿入するステップと、
前記記録媒体の挿入を検出した場合に、前記記録媒体からの画像情報に基づいて表示画像リストを作成するステップと、
前記表示画像リストを記憶するステップと、
前記リモートコントローラへの前記表示画像リストの送信を行うステップと、
前記リモートコントローラから制御情報を受信した場合に、前記制御情報及び前記記憶した表示画像リストに基づいて、前記記録媒体からの画像を表示するステップと
を備え、
前記リモートコントローラは、
前記テレビジョン放送受信装置から表示画像リストを受信した場合に、前記表示画像リストを記憶するステップと、
ユーザからの制御情報を受信した場合に、前記制御情報を前記テレビジョン放送受信装置へ送信するとともに、前記制御情報及び前記記憶した表示画像リストに基づいて、前記記録媒体からの画像を表示するステップと
を備える画像表示方法。
【請求項５】
前記リモートコントローラにおいて、前記記録媒体からの画像を表示するステップは、前記記録媒体からの画像のサムネイルを表示する請求項４記載の画像表示方法。
【請求項６】
前記リモートコントローラにおいて、前記記録媒体からの画像を表示するステップは、前記記録媒体からの画像のサムネイルを縦軸または横軸の一方の軸を時間帯、他方の軸を撮影地域とする２次元で表示する請求項４記載の画像表示方法。
【手続補正２】
【補正対象書類名】明細書
【補正対象項目名】全文
【補正方法】変更
【補正の内容】
【書類名】明細書
【技術分野】
【０００１】
本発明は、画像表示装置及びその方法に関し、更に詳しくは、記録媒体からの画像をテレビジョン放送受信装置に表示すると共に、画像のサムネイルをリモートコントローラの表示画面に表示することが可能な画像表示装置及びその方法に関する。
【背景技術】
【０００２】
従来のテレビジョン放送受信装置として、記録媒体を接続することによって、記録媒体に記録された画像のサムネイルを、画像ビューアアプリケーションを用いて画面上に一覧表示するテレビジョン放送受信装置が公知である。このようなテレビジョン放送受信装置は、例えば、特開２００２−１３５６７６号公報に開示されている。このようなテレビジョン放送受信装置では、ユーザは、リモートコントローラ（以下、リモコンと称す）等の入力装置を介してサムネイル表示画面から所望のサムネイルを選択することにより、サムネイルで指定された画像を一枚表示画面で表示することができる。
【０００３】
また、画像のサムネイルと選択されたサムネイルの拡大画像を表示画面上に同時表示する技術も公知である。このような技術は、例えば、特開平１０−２４３２７３号公報に開示されている。
【発明の開示】
【０００４】
画像表示装置は
記録媒体からの画像を表示するテレビジョン放送受信装置と、テレビジョン放送受信装置を制御するリモートコントローラで構成される画像表示装置であって、
テレビジョン放送受信装置は、
記録媒体を挿入する媒体挿入手段と、
媒体挿入手段への記録媒体の挿入を検出した場合に、記録媒体からの画像情報に基づいて表示画像リストを作成する媒体制御手段と、
表示画像リストを記憶する第１の表示画像リスト記憶手段と、
画像を表示する第１の表示手段と、
リモートコントローラへの表示画像リストの送信を行い、かつリモートコントローラから制御情報を受信した場合に、制御情報及び第１の表示画像リスト記憶手段に記憶した表示画像リストに基づいて、記録媒体からの画像を第１の表示手段に出力する第１の制御手段と
を備え、
リモートコントローラは、
表示画像リストを記憶する第２の表示画像リスト記憶手段と、
画像を表示する第２の表示手段と、
テレビジョン放送受信装置から表示画像リストを受信した場合に、表示画像リストを第２の表示画像リスト記憶手段に記憶させ、かつ、ユーザからの制御情報を受信した場合に、制御情報をテレビジョン放送受信装置へ送信するとともに、制御情報及び第２の表示画像リスト記憶手段に記憶した表示画像リストに基づいて、記録媒体からの画像を第２の表示手段に出力する第２の制御手段と
を備える。
【０００５】
画像表示方法は
記録媒体からの画像を表示するテレビジョン放送受信装置と、テレビジョン放送受信装置を制御するリモートコントローラで構成される画像表示装置であって、
テレビジョン放送受信装置は、
記録媒体を挿入するステップと、
記録媒体の挿入を検出した場合に、記録媒体からの画像情報に基づいて表示画像リストを作成するステップと、
表示画像リストを記憶するステップと、
リモートコントローラへの表示画像リストの送信を行うステップと、
リモートコントローラから制御情報を受信した場合に、制御情報及び前記記憶した表示画像リストに基づいて、記録媒体からの画像を表示するステップと
を備え、
リモートコントローラは、
テレビジョン放送受信装置から表示画像リストを受信した場合に、表示画像リストを記憶するステップと、
ユーザからの制御情報を受信した場合に、制御情報をテレビジョン放送受信装置へ送信するとともに、制御情報及び記憶した表示画像リストに基づいて、記録媒体からの画像を表示するステップと
を備える。
【発明の効果】
【０００６】
本発明による画像表示装置及びその方法は、記録媒体に保存された画像のサムネイルをリモコンの表示画面上に表示したまま、選択された画像をテレビジョン放送受信装置の画面上に一枚表示することや、スライドショーを行うことが可能となる。そのため、操作性及び視認性が向上できる。またテレビジョン放送受信装置の画面上でスライドショーを実施している時に、リモコン側の画面表示で詳細な画像情報が表示できる。そのために、撮影したときの撮影日時やＧＰＳ情報などの情報の確認が容易になる。ＧＰＳを搭載したデジタルスチルカメラにて撮影した画像をテレビジョン放送受信装置に付属の記録媒体の読込装置を利用して視聴する際の表示方法としての利用方法が考えられる。
【発明を実施するための最良の形態】
【０００７】
しかしながら、上記特開２００２−１３５６７６号公報のテレビジョン放送受信装置では、サムネイル表示画面において選択された所望のサムネイルで指定された画像を一枚表示画面で表示する場合にサムネイル表示画面から一枚表示画面へと画面を切り替えて表示する。そのため、ユーザが再度サムネイル表示画面を表示しようとした場合は、一枚表示画面からサムネイル表示画面への切り替え操作が必要となり、手間がかかるという問題がある。
【０００８】
また、上記特開平１０−２４３２７３号公報の技術では、表示画面上に画像のサムネイルと選択されたサムネイルの拡大画像を同時表示するため、サムネイル表示画面から一枚表示画面への切り替え操作は必要とせず操作面での向上は望める。しかし、同時表示しているが故に、拡大画像の大きさを制限する必要があり、拡大画像を視認しにくいという問題が依然残されたままとなっている。
【０００９】
また、上記特開２００２−１３５６７６号公報及び上記特開平１０−２４３２７３号公報のサムネイル表示は、単に画像のサムネイルを時系列に並べて表示しただけのものあり、ユーザは時間的な関係でしかサムネイルを視認することができない。
【００１０】
（実施の形態１）
本発明の実施の形態１に係る画像表示装置は、記録媒体を挿入する挿入口を備えたテレビジョン放送受信装置１００と、記録媒体に記録された画像のサムネイルを表示すると共に、テレビジョン放送受信装置１００を制御するリモコン２００から構成される。
【００１１】
図１は、本発明の実施の形態１に係るテレビジョン放送受信装置１００の構成を示すブロック図である。テレビジョン放送受信装置１００は、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、表示画像リスト記憶部１１２及び無線制御部１１３から構成される。
【００１２】
チューナ１０１は、制御部１０３からの選局命令に基づいてテレビジョン放送信号を受信し、受信したテレビジョン放送信号に高周波処理及び復調処理を行い、トランスポートストリームとして分離部１０２へ出力する。
【００１３】
分離部１０２は、チューナ１０１からのトランスポートストリームを番組情報等の付加情報とＭＰＥＧデータであるデジタル映像信号及びデジタル音声信号とに分離する。そうして、分離部１０２はＭＰＥＧデータをデコード部１０４へ出力し、付加情報を制御部１０３に出力する。
【００１４】
制御部１０３は、リモコン信号送受信部１０９から所望のチャンネルの選局要求を取得した場合は、チューナ１０１への選局要求を行う。それと共に、制御部１０３は、選局されたチャンネルの番組視聴時において、分離部１０２から取得した付加情報のうちの所定操作時に必要な番組情報データをＯＳＤ制御部１０６へ出力する。また、制御部１０３は、リモコン信号送受信部１０９からの各種画像表示要求又は媒体制御部１１１からの各種通知を取得した場合は、記録媒体挿入処理、画像表示切替処理又は記録媒体取出処理を行う。これらの処理については、後ほど図６及び図８を用いて詳述する。
【００１５】
デコード部１０４は、制御部１０３から映像処理要求を取得した場合は、分離部１０２からのＭＰＥＧデータをデコードし映像信号として映像処理部１０５へ出力する。一方、デコード部１０４は、制御部１０３から画像処理要求を取得した場合は、制御部１０３からの画像データをデコードし画像信号として映像処理部１０５へ出力する。
【００１６】
映像処理部１０５は、デコード部１０４からの映像信号又は画像信号に輝度、コントラスト等の調整を行い映像データ又は画像データとして合成部１０７へ出力する。
【００１７】
ＯＳＤ制御部１０６は、制御部１０３からの番組情報データをＯＳＤ表示データとして合成部１０７へ出力する。ＯＳＤ制御部１０６は、制御部１０３からサムネイル表示要求を取得した場合は、サムネイル表示枠を作成すると共に、サムネイル表示枠と指定された位置に対応する識別表示データを含んだＯＳＤ表示データを合成部１０７へ出力する。ここで、識別表示データとは、指定された位置のサムネイル表示枠を強調表示するためのデータである。
【００１８】
合成部１０７は、映像処理部１０５からの映像データ又は画像データとＯＳＤ制御部１０６からのＯＳＤ表示データを合成し、映像信号又は画像信号として表示部１０８へ出力する。
【００１９】
表示部１０８は、制御部１０３から映像処理要求を取得した場合は、合成部１０７からの映像信号を画面表示する。一方、制御部１０３から画像処理要求を取得した場合は、合成部１０７からの画像信号を画面表示する。画面表示方法については、後ほど図４を用いて詳述する。
【００２０】
リモコン信号送受信部１０９は、リモコン２００からのリモコン信号を受信し、リモコン受信信号として制御部１０３へ出力する。また、リモコン信号送受信部１０９は、制御部１０３からの各種要求をリモコン送信信号としてリモコン２００へ送信する。
【００２１】
媒体挿入部１１０は、ＳＤカード等の記録媒体を挿入する挿入口である。記録媒体での画像データの記録方法については、後ほど図３を用いて詳述する。
【００２２】
媒体制御部１１１は、媒体挿入部１１０への記録媒体の挿入／取出を検出し、制御部１０３に対して各種通知を行う。そして、媒体制御部１１１は、制御部１０３からの要求に基づいて、表示画像リストを作成する。表示画像リストについては、後ほど図５を用いて詳述する。
【００２３】
表示画像リスト記憶部１１２は、媒体制御部１１１からの表示画像リストを記憶する。
【００２４】
無線制御部１１３は、ＢＬＵＥＴＯＯＴＨやＩＥＥＥ８０２．１１ｂなどの規格の無線によって表示画像リスト記憶部１１１の表示画像リストをリモートコントローラ２００に送信する。また、無線制御部１１３は、リモートコントローラ２００からのＥｘｉｆ形式画像ファイルの取得要求があった場合にリモートコントローラ２００にＥｘｉｆ形式画像ファイルを送信する。無線制御部１１３は表示画像リストや画像データなど比較的大きなデータの送受信を実施する。
【００２５】
ここで、記録媒体での画像データの記録方法について図３を用いて説明する。記録媒体に記録された画像データ３００はデジタルスチルカメラ用画像ファイルフォーマット規格（Ｅｘｉｆ）に基づいてデジタルスチルカメラで記録されている。ここで、主たるデータとして記録する画像を「主画像」と呼び、「主画像」の見出し用小画像を「サムネイル」と呼ぶ。画像データ３００は、ヘッダ情報３０１と、主画像データ３０５と、主画像付属情報３０２と、サムネイル画像データ３０４と、サムネイル付属情報３０３で構成される。ヘッダ情報３０１には、Ｅｘｉｆ形式かＪｆｉｆ形式かを示すファイル形式やデータ形式と、ビッグエンディアン（ｂｉｇ−ｅｎｄｉａｎ）かリトルエンディアン（ｌｉｔｔｌｅ−ｅｎｄｉａｎ）かを示すバイトオーダーなどが記述されている。主画像付属情報３０２は、画像データ３００に関する付属情報と、撮影条件に関する情報と、ＧＰＳに関する情報から構成される。画像データ３００に関する付属情報は、画像以外の解像度や圧縮の種類や画素構成などの情報である。撮影条件に関する情報は、撮影日時や被写体距離やシャッタースピードなどの情報である。ＧＰＳに関する情報は、経度や緯度や高度などの情報である。
【００２６】
画像表示方法について図４を用いて説明する。画面表示としては、「１枚表示」４０１と、「スライドショー表示」４０２と、「サムネイル表示」４０３と、「付属情報表示」４０４がある。「１枚表示」４０１は、１枚の主画像データ３０５と主画像付属情報３０２を同時に表示する表示形式である。「スライドショー表示」４０２は、主画像データ３０５を表示部１０８全体に連続的に表示する表示形式である。「サムネイル表示」４０３は、ファイル名によるソート後、３×３などのレイアウトでサムネイル画像データ３０４を表示する表示形式である。「付属情報表示」４０４は、主画像データ３０５の主画像付属情報３０２のみをテキストで表示する表示形式である。「サムネイル表示」では、ＯＳＤ制御部１０６で作成されたサムネイル表示枠において選択されたサムネイルを更に枠などで囲み強調表示される。「スライドショー表示」では、表示画像リストの順に一定時間が経過すると選択状態の主画像は次の主画像に移り変わる。
【００２７】
表示画像リストの構成について図５を用いて説明する。表示画像リスト５００は、シリアルに割り振られたソート用の番号５０１と、ファイル名５０２と、画像が選択状態にあるか否かを示す選択状態フラグ５０３と、ＧＰＳの位置情報やＥｘｉｆなど撮影に関する情報を記述した付属情報５０４と、サムネイル画像データ３０４へのポインタ５０５及び主画像データ３０５へのポインタ５０６から構成される。ここで、表示画像リスト５００はテレビジョン放送受信装置１００とリモコン２００で同じ構成である。
【００２８】
次に、図２を用いて、本発明の実施の形態１に係るリモコン２００の構成を説明する。リモコン２００は、リモコン信号送受信部２０１と、制御部２０２と、デコード部２０３と、表示制御部２０４と、ＯＳＤ制御部２０５と、合成部２０６と、表示部２０７と、入力部２０８と、表示画像リスト記憶部２０９及び無線制御部２１０から構成される。
【００２９】
リモコン信号送受信部２０１は、テレビジョン放送受信装置１００からのリモコン信号を受信し、リモコン受信信号として制御部２０２へ出力する。また、リモコン信号送受信部２０１は、制御部２０２からの各種要求をリモコン送信信号としてテレビジョン放送受信装置１００へ送信する。
【００３０】
制御部２０２は、入力部２０８に所望のチャンネル選局指示がなされた場合は、選局要求をリモコン送受信部２０１へ出力する。無線制御部２１０が表示画像リスト５００を無線信号として受信した場合は、制御部２０２は表示画像リスト５００を表示画像リスト記憶部２０９に出力する。また、入力部２０８からの各種要求に基づいて、制御部２０２は記録媒体挿入処理、画像表示切替処理又は記録媒体取出処理を行う。これらの処理については、後ほど図７及び図９を用いて詳述する。
【００３１】
制御部２０２は無線制御部２１０に対して、テレビジョン放送受信装置１００の記録媒体にあるＥｘｉｆ形式の画像データの取得を指示する。その後、制御部２０２は取得したＥｘｉｆ形式の画像データをデコード部２０３に送信する。
【００３２】
デコード部２０３は制御部２０２からＥｘｉｆ形式の画像データをデコードして、表示部２０７で表示可能な映像信号に変換する。表示制御部２０４は、輝度、コントラスト等の調整を行い合成部２０６へ出力する。
【００３３】
ＯＳＤ制御部２０５は、制御部２０２からサムネイル表示要求を取得した場合は、サムネイル表示枠を作成すると共に、強調枠を現在選択中の画像の表示位置に表示されるように合成部２０６へ出力する。
【００３４】
合成部２０６は、表示制御部２０４からの画像データの映像信号とＯＳＤ制御部２０５からのＯＳＤ表示データとを合成して映像信号として表示部２０７へ出力する。
【００３５】
表示部２０７は、合成部２０５からの映像信号を画面出力する。
【００３６】
入力部２０８は、リモコン２００のテンキー操作または所定ボタン操作を介してユーザ入力を受け付ける。
【００３７】
表示画像リスト記憶部２０９は、テレビジョン信号受信装置１００から無線で得られた表示画像リスト５００を記憶する。
【００３８】
無線制御部２１０は制御部２０２の指示に従い、画像表示装置で使用する表示画像リストやＪＰＥＧ画像データなど比較的大きな容量のデータの送受信を実施する。
【００３９】
それでは、上述のテレビジョン放送受信装置１００及びリモコン２００を用いた記録媒体挿入処理について図６及び図７を用いて詳述する。図６は、テレビジョン放送受信装置１００での処理を示すフローチャートであり、図７は、リモコン２００での処理を示すフローチャートである。
【００４０】
テレビジョン放送受信装置１００の制御部１０３は媒体制御部１１１に対し、媒体挿入部１１０への記録媒体の挿抜を定期的に監視する要求を行う（Ｓ６０１）。媒体制御部１１１が記録媒体の挿入を検出した場合は（Ｓ６０２でＹＥＳ）、制御部１０３に対して記録媒体挿入通知を行う。制御部１０３は媒体制御部１１１に対して、記録媒体の中の画像ファイルを読み込み、図３に示すＥｘｉｆ形式のファイル構造の中から必要な情報を抽出し、表示画像リスト５００の作成と保存を行う（Ｓ６０３）ように指示する。そして、制御部１０３は、表示画像リスト５００作成後はリモコン２００に対して表示画像リスト５００を無線にて送信する（Ｓ６０４）。送信が時間内に完了できなかった場合は（Ｓ６０５でＮＯ）再送信を行う。送信が時間内に完了した場合は（Ｓ６０５でＹＥＳ）、制御部１０３は、デコード部１０４及び表示部１０８への画像処理要求（１枚表示要求、スライドショー表示要求又はサムネイル表示要求）を行い、夫々の要求に基づいて表示部１０８への「１枚表示」、「スライドショー表示」、「サムネイル表示」を行う（Ｓ６０６）。記録媒体挿入時の表示方法は予め指定しておく。本実施の形態１では、記録媒体挿入時には、「１枚表示」するとする。
【００４１】
一方、リモコン２００では、リモコン信号送受信部２０１がテレビジョン放送受信装置１００から表示画像リスト５００を受信した場合に（Ｓ７０１でＹＥＳ）、テレビジョン放送受信装置１００の記憶媒体から画像データを取得する。そうして、リモコン信号送受信部２０１は表示部２０６へ「１枚表示」、「スライドショー表示」、「サムネイル表示」、「付属情報表示」のうち、予め指定された表示方法で画像表示を行う（Ｓ７０３）。本実施の形態１では、記録媒体挿入時の表示方法には、予め「サムネイル表示」が指定されているとする。
【００４２】
次に、図８及び図９を用いて、画像表示切替処理と記録媒体取出処理について説明する。図８は、テレビジョン放送受信装置１００での処理を示すフローチャートであり、図９は、リモコン２００での処理を示すフローチャートである。
【００４３】
まず、テレビジョン放送受信装置１００の処理について説明する。テレビジョン放送受信装置１００の制御部１０３は、媒体制御部１１１に対し、媒体挿入部１１０に記録媒体の挿抜を定期的に監視する要求を行う（Ｓ８０１）。媒体制御部１１１は、記録媒体が抜かれたことを検出した場合は（Ｓ８０１でＹＥＳ）、制御部１０３に対して記録媒体取出通知を行う。制御部１０３は媒体制御部１１１に対して、表示画像リスト５００の削除要求を行い、表示画像リスト記憶部１１２から表示画像リスト５００を削除してＪＰＥＧ画像の表示を停止する（Ｓ８０８）。そして、制御部１０３は、表示画像リスト５００削除後はリモコン２００に対して表示画像リスト削除要求を送信すると共に（Ｓ８０９）、デコード部１０４に対し映像処理要求を行い、再び図６の記録媒体挿入処理に移る。
【００４４】
また、制御部１０３は挿抜の監視要求とともにユーザからの要求受信を定期的に監視し、「１枚表示」、「スライドショー表示」、「サムネイル表示」の要求があった場合は（Ｓ８０１でＮＯ、Ｓ８０２からＳ８０７）、夫々の要求に基づいて表示部１０８に画像を表示する。
【００４５】
次に、リモコン２００の処理について説明する。リモコン２００の制御部２０２は、リモコン受信信号として表示停止要求があるか否かを定期的に監視する（Ｓ９０１）。表示停止要求を受信した場合は（Ｓ９０１でＹＥＳ）、表示画像リスト記憶部２０９から表示画像リスト５００を削除してＪＰＥＧ画像の表示を停止し（Ｓ９１０）、再び図７の記録媒体挿入受信処理に移る。
【００４６】
また、制御部２０２は表示停止要求の監視とともにユーザからの要求受信を定期的に監視し、「一枚表示」、「付属情報表示」、「サムネイル表示」、「スライドショー表示」の要求があった場合は（Ｓ９０１でＮＯ、Ｓ９０２からＳ９０９）、夫々の要求に基づいて表示部２０６に画像を表示する。
【００４７】
ここで、具体的なリモコン２００の構成について図１０を用いて説明する。図１０は、本実施の形態１でのリモコン２００の一例である。リモコン１０００の表示部１００１に、前述の図４で説明した「サムネイル表示」４０３、「１枚表示」４０１、「スライドショー表示」４０２、「付属情報表示」４０４が表示される。図１０はサムネイル表示を一例として示す。選択状態にある画像はサムネイル表示枠１００２で囲まれ強調表示される。また、リモコン１０００はＴＶ画像表示キー１００３とリモコン画像表示キー１００４も持ち、ＴＶ画像表示キー１００３を押下するとテレビジョン放送受信装置１００に画面表示要求が送信される。そうして、テレビジョン放送受信装置１００の表示部１０８の画面表示がサムネイル表示、１枚表示、スライドショーの順に変更される。またリモコン画像表示キー１００４が押下された場合はリモコン１０００側の表示部１００１の画面表示がサムネイル表示、１枚表示、付属情報表示、スライドショーのいずれかに変更される。
【００４８】
現在選択状態の画像がテレビジョン放送受信装置１００とリモコン１０００で常に同じになるように選択画像が移ると、すなわちサムネイル表示枠１００２が移動するとリモコン１０００で選択中の画像番号はテレビジョン放送受信装置１００へ送信される。そうして、テレビジョン放送受信装置１００の表示画像リスト記憶部１１２とリモコン２００の表示画像リスト記憶部２０９の選択状態の画像の選択状態フラグ５０３は１にされそれ以外は０に変更される。
【００４９】
サムネイル表示中での選択状態の画像の変更は、十字キー１００５またはテンキー１００７により行う。そして、十字キー１００５の中心の決定キー１００６を押下するとテレビジョン放送受信装置１００にコマンドが送信されて、テレビジョン放送受信装置１００において選択中の画像の１枚表示要求処理が行われる。
【００５０】
テレビジョン放送受信装置１００とリモコン１０００の画面表示方法は、ユーザの指示によって選択可能である。たとえばテレビジョン放送受信装置１００で「スライドショー表示」の時にリモコン１０００側で「付属情報表示」、またはテレビジョン放送受信装置１００で「１枚表示」のときにリモコン１０００側で「サムネイル表示」などの組み合わせが存在する。
【００５１】
また、記録媒体からの画像をリモコン１０００の表示部１００１にて表示中に、ユーザが入力部２０７に所望のチャンネル選局指示を行った場合は、チャンネル選局要求がリモコン送受信部２０１へ出力される。前記の場合、テレビジョン放送受信装置１００は、画像ビューアアプリケーションを終了してチャンネル選局を行う。
【００５２】
なお、本実施の形態１では、記録媒体挿入時にすぐに記録媒体からの画像をテレビジョン放送受信装置１００及びリモコン１０００に画面出力する構成とした。しかし、記録媒体挿入時に記録媒体が挿入されたことを示すアイコンやメッセージをまず表示して、前記アイコンやメッセージをユーザが選択することにより、記録媒体からの画像を画面出力する構成としてもよい。
【００５３】
（実施の形態２）
本発明の実施の形態２の画像表示装置は、記録媒体を挿入する挿入口を備えたテレビジョン放送受信装置１１００と、記録媒体に記録された画像のサムネイルを表示すると共に、テレビジョン放送受信装置１１００を制御するリモコン２００から構成される。実施の形態２では、画像のサムネイルを時間軸・撮影地域の２次元の画像表示エリアに表示すること以外はすべて実施の形態１と同じ形態で実現される。
【００５４】
図１１は、本発明の実施の形態２に係るテレビジョン放送受信装置１１００の構成を示すブロック図である。テレビジョン放送受信装置１１００は、チューナ１０１と、分離部１０２と、制御部１０３と、デコード部１０４と、映像処理部１０５と、ＯＳＤ制御部１０６と、合成部１０７と、表示部１０８と、リモコン信号送受信部１０９と、媒体挿入部１１０と、媒体制御部１１１と、表示画像リスト記憶部１１２及び地図情報記憶部１１０１から構成される。ここで、図１１において、図１と同等の符号を付したものは、図１と同等の機能を有するため説明を省略する。
【００５５】
地図情報記憶部１１０１は、予め撮影場所を特定するための地図情報を記憶する。図１２は地図情報の構成を示す。地図情報１２００は、都道府県１２０１、市町村１２０２、地区１２０３等の情報から構成される。
【００５６】
図１３は本発明の実施の形態２におけるサムネイル表示の一例を示す。テレビジョン放送受信装置１１００の表示部１０８またはリモコン２００の表示部２０６の縦軸に撮影地列表示エリア１３０２が、横軸に時間帯行表示エリア１３０３が作られて表示領域１３０１作成される。そうして、撮影地と時間帯の一致する表示領域１３０１にサムネイルが配置される。撮影地列表示エリア１３０２は、表示画像リスト５００の付属情報５０４（ＧＰＳ情報と撮影時刻）から得られた情報を基にして、撮影地列を表示する。時間帯行表示エリア１３０３は、表示画像リスト５００の付属情報５０４（ＧＰＳ情報と撮影時刻）から得られた情報を基にして、時間帯行を表示する。また表示画像リスト５００の付属情報５０４（撮影時刻）から日付リスト（図示せず）が作成され、日付表示部１３０４に撮影日が表示される。左向き三角形の前撮影日選択アイコン１３０５にカーソルを移動して決定キーを押した場合は、前の撮影日のサムネイルが表示され、右向き三角形の次撮影日選択アイコン１３０６にカーソルを移動して決定キーを押した場合は、次の撮影日のサムネイルが表示される。アイコン上で決定キーを押下することで日付が変更される。
【００５７】
なお、本実施の形態２では、縦軸に撮影地列、横軸に時間帯行を表示した２次元表示を行っているが、横軸に撮影地列、縦軸に時間帯行を表示する構成としてもよい。
【００５８】
ここで、図１３に示された２次元のサムネイルを表示する処理について、図１４を用いて説明する。ユーザの操作により日付表示部１３０４の日付が変更された場合は、表示画像リスト５００に日付表示部１３０４の年月日と撮影日の年月日の一致する画像が存在するかが判断され（Ｓ１４０１）、サムネイル表示処理が開始される。そして、表示画像リスト５００の画像の付属情報５０４（ＧＰＳ情報）から「北緯ｏｒ南緯」、「緯度」、「東経ｏｒ西経」、「経度」が抽出され、地図情報記憶部１１０１に保存されている地図情報１２００とのマッチングが行われる（Ｓ１４０２）。その結果、「都道府県」、「市町村」、「地区」が特定され、表示画像リスト５００の付属情報５０４の項目に記述される（Ｓ１４０３）。撮影地域列表示エリア１３０２のタイトルには、表示画像リスト５００に記述された「都道府県」、「市町村」、「地区」の項目のうち、ユーザが選択した、または予め設定された項目を表示する（Ｓ１４０４）。
【００５９】
１時間単位で行が作成されており、表示画像リスト５００の付属情報５０４（撮影日時）に対応する時間帯行の撮影地列にサムネイルが配置される。撮影地列の１列中に配置するサムネイルの列数はユーザによって選択可能である（Ｓ１４０５）。また表示対象の日付のサムネイルの表示が完了した後は、選択状態のサムネイルが強調表示される（Ｓ１４０６）。
【００６０】
なお、撮影した画像が存在しない時間帯を表示しないようにしてサムネイルの無いエリアを極力無くすようにする。
【００６１】
ユーザは、リモコン１０００の十字キー１００５にて画像の選択を行い、決定キー１００６にて１枚表示を行う。
【００６２】
以上の説明から明らかな通り、本発明の画像表示装置及びその方法によれば、記録媒体に保存された画像のサムネイルをリモコンの表示画面上に表示したまま、選択された画像をテレビジョン放送受信装置の画面上に一枚表示したり、スライドショーを行うことが可能となる。そのため、操作性及び視認性が向上できる。またテレビジョン放送受信装置の画面上でスライドショーを実施している時に、リモコン側の画面表示で詳細な画像情報が表示できる。そのために、撮影したときの撮影日時やＧＰＳ情報などの情報の確認が容易になる。
【００６３】
更に、本発明の画像表示装置及びその方法によれば、縦軸／横軸のどちらか一方を時間帯、他方の軸を撮影地域とする画像表示エリアにサムネイルを表示することができる。このことにより、画像の撮影した場所と時刻を容易に認識しやすくなる。
【００６４】
なお、本発明はリモコンについて説明しているが、携帯電話端末等の表示画面を有しかつテレビジョン放送受信装置を制御可能な携帯機器にも応用することができる。
【産業上の利用可能性】
【００６５】
本発明による画像表示装置及びその方法は、記録媒体に保存された画像のサムネイルをリモコンの表示画面上に表示したまま、選択された画像をテレビジョン放送受信装置の画面上に一枚表示することや、スライドショーを行うことが可能となる。そのため、操作性及び視認性が向上できる。またテレビジョン放送受信装置の画面上でスライドショーを実施している時に、リモコン側の画面表示で詳細な画像情報が表示できる。そのために、撮影したときの撮影日時やＧＰＳ情報などの情報の確認が容易になる。ＧＰＳを搭載したデジタルスチルカメラにて撮影した画像をテレビジョン放送受信装置に付属の記録媒体の読込装置を利用して視聴する際の表示方法としての利用方法が考えられる。
【図面の簡単な説明】
【００６６】
【図１】本発明の実施の形態１に係るテレビジョン放送受信装置の構成を示すブロック図
【図２】本発明の実施の形態１に係るリモコンの構成を示すブロック図
【図３】記録媒体に記録された画像データのデータ構造を示す図
【図４】記録媒体に記録された画像データの表示方法を示す図
【図５】表示画像リストの構成を示す図
【図６】本発明の実施の形態１に係るテレビジョン放送受信装置での記録媒体挿入時の処理を示すフローチャート
【図７】本発明の実施の形態１に係るリモコンでの記録媒体挿入時の処理を示すフローチャート
【図８】本発明の実施の形態１に係るテレビジョン放送受信装置での記録媒体挿入後の処理を示すフローチャート
【図９】本発明の実施の形態１に係るリモコンでの記録媒体挿入後の処理を示すフローチャート
【図１０】本発明の実施の形態１に係るリモコンの具体例を示す図
【図１１】本発明の実施の形態２に係るテレビジョン放送受信装置の構成を示すブロック図
【図１２】地図情報の構成を示す図
【図１３】本発明の実施の形態２に係るサムネイル表示を示す図
【図１４】本発明の実施の形態２に係るサムネイル表示処理を示すフローチャート
【符号の説明】
【００６７】
１００  テレビジョン放送受信装置
１０１  チューナ
１０２  分離部
１０３、２０２  制御部
１０４、２０３  デコード部
１０５  映像処理部
２０４  表示制御部
１０６、２０５  ＯＳＤ制御部
１０７、２０６  合成部
１０８、２０７、１００１  表示部
１０９、２０１  リモコン信号送受信部
１１０  媒体挿入部
１１１  媒体制御部
１１２、２０９  表示画像リスト記憶部
１１３、２１０  無線制御部
１１０１  地図情報記憶部
２００、１０００  リモコン
２０７  入力部
３００  画像データ
３０１  ヘッダ情報
３０２  主画像付属情報
３０３  サムネイル付属情報
３０４  サムネイル画像データ
３０５  主画像データ
４０１  １枚表示画面
４０２  スライドショー画面
４０３  サムネイル表示画面
４０４  付属情報表示画面
５００  表示画像リスト
５０１  番号
５０２  ファイル名
５０３  選択状態フラグ
５０４  付属情報
５０５  サムネイル画像データへのポインタ
５０６  主画像データへのポインタ
１００２  サムネイル表示枠
１００３  ＴＶ画像表示キー
１００４  リモコン画像表示キー
１００５  十字キー
１００６  決定キー
１２００  地図情報
１３０１  表示領域
１３０２  撮影地列表示エリア
１３０３  時間帯行表示エリア
１３０４  日付表示部
１３０５  前撮影日選択アイコン
１３０６  次撮影日選択アイコン
【手続補正３】
【補正対象書類名】図面
【補正対象項目名】全図
【補正方法】変更
【補正の内容】
【図１】
2005027509.tif 000017
【図２】
2005027509.tif 000018
【図３】
2005027509.tif 000019
【図４】
2005027509.tif 000020
【図５】
2005027509.tif 000021
【図６】
2005027509.tif 000022
【図７】
2005027509.tif 000023
【図８】
2005027509.tif 000024
【図９】
2005027509.tif 000025
【図１０】
2005027509.tif 000026
【図１１】
2005027509.tif 000027
【図１２】
2005027509.tif 000028
【図１３】
2005027509.tif 000029
【図１４】
2005027509.tif 000030
【国際調査報告】
2005027509.tif 000031
2005027509.tif 000032
2005027509.tif 000033